(57)【要約】【課題】ハンディターミナルの数値入力の作業を簡素化する。【解決手段】数値入力モードから電卓モードに移行すると、その直前に数値入力画面Ｄ２で数値入力が終わった数値が、電卓モードの入力値として設定され、演算開始画面Ｄ３に表示される。電卓モードでは通常の電卓と同様に四則演算を実行することができる。電卓モードでの演算を完了したら、確定キー（例えばＥＮＴキー１４）を押し下げることで、数値入力モードに戻り、表示部７の画面は数値入力画面（Ｄ５）に切り替わる。電卓モードでの演算結果は、数値入力モードの入力値として設定され、数値入力画面Ｄ５には、電卓モードで求めた演算結果が入力された状態で表示される。【選択図】      図６
2004213456.tif 000002
【特許請求の範囲】
【請求項１】
キー及び／又はタッチパネルを備えた入力部と表示部とを有し、数値入力モードで前記表示部に数値入力画面が表示されているときに前記入力部により入力した数値を確定することにより、この確定した入力値を記録するハンディターミナルにおいて、
前記ハンディターミナルが電卓として機能する電卓モードを更に有し、
前記入力部を操作することにより前記数値入力モードから前記電卓モードに遷移するときに、前記数値入力モードで前記数値入力画面に入力された数値を前記内部メモリに一時的に保存してこの数値を前記電卓モードの入力値として設定し、
前記電卓モードでの演算が終了した後にこれを確定すると、演算結果を前記内部メモリに一時的に保存して前記電卓モードから前記数値入力モードに戻ると共に、演算結果の数値を前記数値入力モードの入力値として設定されることを特徴とするハンディターミナル。
【請求項２】
前記数値入力モードから前記電卓モードに遷移するときに、前記数値入力モードで前記数値入力画面に入力された数値を、前記電卓モードでの演算開始画面に表示する、請求項１に記載のハンディターミナル。
【請求項３】
前記電卓モードから前記数値入力モードに戻るときに、演算結果の数値を、前記数値入力モードでの前記数値入力画面に表示する、請求項１又は２に記載のハンディターミナル。
【請求項４】
前記電卓モードが、電卓のＭＲ、ＭＣ、Ｍ＋機能を有し、前記入力部を操作することにより、前記ＭＲ、ＭＣ、Ｍ＋機能を実行することができる、請求項１〜３のいずれか一項に記載のハンディターミナル。
【発明の詳細な説明】
【０００１】
【発明の属する技術分野】
この発明は、ユーザが携帯して様々なデータを収集するのに用いられるハンディターミナルに関する。
【０００２】
【従来の技術】
ハンディターミナルは数値入力キーを含むキー群を備え、このキー群を用いて作業者がデータ収集、例えば棚卸しのときに倉庫内の商品の数量を記録したり、ケースの個数を記録したりするのに用いられる。そして、ハンディターミナルに記録したデータはホストコンピュータに転送され、ホストコンピュータにより一元管理される。
【０００３】
従来のハンディターミナルを用いた作業の一例を説明すると、例えば、ケース単位で保管されている商品の数を記録したい場合、作業者は、先ずケースの数をかぞえ、次いで、ケースの数から手計算や電卓で商品の個数を計算し、この計算結果をハンディターミナルにキー入力する、という作業を行っている。
【０００４】
別の例として、商品の金額をハンディターミナルに入力する場合、電卓で金額と個数を演算し、その演算結果をハンディターミナルにキー入力する、という作業を行っている。
【０００５】
【特許文献１】
特開平７−１６０６４３号公報
【０００６】
特開平７−１６０６４３号公報は、バーコードリーダを組み込んだ学習用電卓を提案しており、モード切替キーを操作することで、学習機能、スケジュール管理機能、電卓機能などの機能から一つを選択するようになっている。
【０００７】
教材に、問題と、当該問題の解答として複数の選択肢とが記載されている場合、学童は、学習用電卓の学習機能を選択し、正解と判断した選択肢に付属したバーコードをバーコードリーダで走査すると、選択した解答が正解か否かが表示部に表示される。また、電卓機能を選択すると、通常の電卓と同様に、テンキーを含むキーボードを用いて四則演算を行うことができ、その結果が表示部に表示される。
【０００８】
【発明が解決しようとする課題】
従来のハンディターミナルにあっては、棚卸しなどのときには、ハンディターミナルの他に電卓を用意しておく必要があり、作業者は、ハンディターミナルと電卓とを交互に持ち替えて操作しなければならないため、作業が煩雑であった。また、電卓の表示部に表示されている演算結果を見ながらハンディターミナルにキー入力する必要があることから、ハンディターミナルに数値を入力する際に勘違いなどにより間違いが発生し易い要因を含んでいた。
【０００９】
そこで、本発明の目的は、ハンディターミナルの数値入力の作業を簡素化することのできるハンディターミナルを提供することにある。
【００１０】
本発明の更なる目的は、ハンディターミナルの数値入力の際に、商品の個数の計算をアシストすることのできるハンディターミナルを提供することにある。
【００１１】
【課題を解決するための手段】
かかる技術的課題は、本発明によれば、
キー及び／又はタッチパネルを備えた入力部と表示部とを有し、数値入力モードで前記表示部に数値入力画面が表示されているときに前記入力部により入力した数値を確定することにより、この確定した入力値を記録するハンディターミナルにおいて、
前記ハンディターミナルが電卓として機能する電卓モードを更に有し、
前記入力部を操作することにより前記数値入力モードから前記電卓モードに遷移するときに、前記数値入力モードで前記数値入力画面に入力された数値を前記内部メモリに一時的に保存してこの数値を前記電卓モードの入力値として設定し、
前記電卓モードでの演算が終了した後にこれを確定すると、演算結果を前記内部メモリに一時的に保存して前記電卓モードから前記数値入力モードに戻ると共に、演算結果の数値を前記数値入力モードの入力値として設定されることを特徴とするハンディターミナルを提供することにより達成される。
【００１２】
本発明のハンディターミナルによれば、キー操作などのハンディターミナルの入力部の操作だけで、数値入力モードから電卓モードに切り替わり、また、電卓モードから数値入力モードに切り替わる。そして、モードの切り替えの際に、切り替え前の数値が切り替え後の入力値として設定されることから、モード切り替えに伴って、再度、入力し直す必要はない。すなわち、数値入力モードから電卓モードへの切り替え、また、電卓モードから数値入力モードへの切り替えの際に、モード切り替え前の数値が、切り替え後のモードでの入力値として反映される。
【００１３】
【実施例】
添付の図面を参照して本発明の好ましい実施例を以下に詳しく説明する。
【００１４】
図１を参照して、実施例のハンディターミナル１は、ハンディターミナル本体（ＨＴ本体）２を有する。また、ハンディターミナル１は専用充電池ユニット３または専用乾電池ボックス４を含み、これらは選択的にＨＴ本体２の背面の一部を切り欠いた凹所（図示せず）に装着される。
【００１５】
図２を参照して、この図２はハンディターミナル１を正面から見た図である。ＨＴ本体２は、表示部としてＨＴ本体２の前面に配置されたＬＣＤ７と、動作確認表示手段としてＨＴ本体２の前面の上端に配置された赤、緑、オレンジの３色を使い分けることのできる複数のＬＥＤ８と、キー入力部９とを有する。キー入力部９は、本体２の前面に配置された、メニューキー１０、バーコードのスキャンを開始するためのトリガーキー１１，４方向キー１２，キャンセルキー１３、エンター（ＥＮＴ）キー１４、テンキー１５、複数のファンクションキー１６、電源スイッチ１７などを含み、また、ＨＴ本体２の側面に配置されたサイドトリガーキー１８を含む。
【００１６】
ＨＴ本体２の背面には、その上端部分にバーコード読取窓（図示せず）が設けられ、このバーコード窓を通じてバーコードの読み取りを行うことができる。すなわち、ハンディターミナル１はバーコードリーダハンディターミナルである。また、ＨＴ本体２の背面の下端部には、一対の充電用接触端子２１（図５）が設けられている。ＨＴ本体２は、また下端面の中央に光通信窓（赤外線透過フィルタ）２２（図３）を有する。
【００１７】
ハンディターミナル１を含むシステムは、ホストコンピュータ（図示せず）とのインターフェース及び商用電源によるハンディターミナル１の充電をインタフェースする置き台３０（図１、図４）を有する。
【００１８】
すなわち、ハンディターミナル１は、ハンディターミナル１を置き台３０に載置することでホストコンピュータとの通信を行うことができ、通常の運用つまり通常の作業によって記録したデータをホストコンピュータに送信したり、ホストコンピュータからの作業指示、品名リストなどの情報を受信することができる。ハンディターミナル１と置き台３０との間の通信は光通信、典型的には赤外線通信（ＩｒＤＡ）により行われる。置き台３０には、ホストコンピュータ（図示せず）に接続された通信ケーブルを接続するためのコネクタ３１（図５）が設けられており、また、ハンディターミナル１を置き台３０に載置したときに、ハンディターミナル側光通信窓２２が対面する位置に、置き台側光通信窓（赤外線透過フィルタ）３１が設けられている（図４）。
【００１９】
本体２に充電池ユニット３を装着したときのハンディターミナル１を置き台３０に載置すると、置き台３０に設けられた一対の電力供給用接触端子３２が、ＨＴ本体２の下端部の一対の充電用接触端子２１と電気的に接触し、これにより商用電源を用いてハンディターミナル１（充電池ユニット３）を充電することができる。このため、置き台３０には、商用電源に接続されたＡＣアダプタのジャックを受け入れることのできる電源ポート３３（図５）が設けられている。
【００２０】
図５は、ＨＴ本体２及び置き台３０の回路ブロック図である。ＨＴ本体２は、ＣＰＵ２００、ＲＯＭ２０１、ＲＡＭ２０２などを有し、ＣＰＵ２００はＲＯＭ２０１に書き込まれたプログラムに従って動作して確認ＬＥＤ８、ＬＣＤ表示部７などを制御し、バーコードリーダによって読み込んだデータやテンキーで入力した数値を処理してＲＡＭ２０２の所定領域に記録する。
【００２１】
ＨＴ本体２は、その下端面の光通信窓２２に臨んで配置された受発光素子２０３を使って通信するためのＩｒＤＡ部２０４を有し、このＩｒＤＡ部２０４はＣＰＵ２００によって制御される。
【００２２】
ＨＴ本体２は電源制御部２０６を有し、この電源制御部２０６は充電コントロール２０７及び電源回路２０８を含み、ＨＴ本体２に充電池ユニット３が装着されているときには、これが充電池ユニット３であることを端子２０５を通じて認識すると、充電コントロール２０７により充電池ユニット３の充電を行う。電源制御部２０６は、また、電源回路２０８を有し、電源回路２０８によってＨＴ本体２内のデバイスに電力が供給される。
【００２３】
置き台３０は電源回路３０１を有し、電源回路３０１は、商用電源に接続されたＡＣアダプタから供給される電圧を所定の電圧に調整して電力供給用接触端子３２に印加する。置き台３０は、また、ホストコンピュータと通信するための通信インターフェース制御及び処理部３０２を有し、ハンディターミナル１は、置き台３０に載置することで、この置き台３０の光通信窓３１（赤外線透過フィルタ）に臨んで設置された受発光素子３０３を使ってホストコンピュータと通信することができる。
【００２４】
ハンディターミナル１は電卓機能を有する。すなわち、ハンディターミナル１のＲＯＭ２０１には、四則演算を実行するための電卓プログラムが格納されており、この電卓機能は、例えばファンクションキー１６を押し下げて電卓モードを選択することにより、ハンディターミナル１を使って四則演算を行うことができ、エンターキー１４を押し下げると演算結果がハンディターミナル１のＲＡＭ２０２に記録されると共に、その数値が数値入力モードの初期値として設定され且つ表示部７に表示される。
【００２５】
実施例のハンディターミナル１を使って倉庫内に格納されているケースの数量からこのケースに収容されている商品の個数を棚卸しする場合の操作及びハンディターミナル１の動作を具体的に説明すると、例えばバーコードを読み取ることにより商品コードをハンディターミナル１に入力すると、この商品コードはＲＡＭ２０２に記録されると共に、ハンディターミナル１は数値入力モードに入り、表示部７には、作業者にケースの個数の入力を要求する数値入力画面Ｄ１（図６）が表示される。作業者は、倉庫内のケースの数をかぞえ、例えば個数「１２」であれば、この商品の数をテンキー１５でキー入力する。
【００２６】
図６のＤ２は、ケースの個数を入力し終わったときの数値入力画面を示す。ケースの個数からその中に収容されている商品の個数を計算するのにハンディターミナル１の電卓機能を使いたいときには、電卓モードに移行させるためのキー、例えばＦ１キー１６を押し下げればよい。これにより、ハンディターミナル１は電卓モードに遷移し、通常の電卓と同様の操作によって四則演算を実行する。
【００２７】
図６のＤ３は、電卓モードの演算開始前の表示画面を示す。電卓モードに移行するときには、その直前に数値入力画面Ｄ２で数値入力が終わった数値（この例では「１２」）が、Ｆ１キー１６の操作により電卓モードに切り替わるときにＲＡＭ２０２に一時的に記憶され、この数値は電卓モードの入力値として設定され、演算開始画面Ｄ３に表示される。すなわち、演算開始画面Ｄ３には数値が入力された状態で表示される。
【００２８】
作業者は、「×」をキー操作により選択し、次いで、１個のケースに収容されている商品の個数をキー入力するとハンディターミナル１はかけ算を実行し、その演算結果を表示する（Ｄ４）。作業者は、電卓モードでの演算を完了したら、確定キー（例えばＥＮＴキー１４）を押し下げることで、ハンディターミナル１は、電卓モードから脱出して数値入力モードに戻り、表示部７の画面は数値入力画面に切り替わる。
【００２９】
電卓モードから脱出するとき、演算結果の数値はＲＡＭ２０２に一時的に保存され、この演算結果が数値入力モードの入力値として設定され、数値入力画面Ｄ５には、電卓モードで求めた演算結果が入力された状態で表示される。したがって、作業者は、ＥＮＴキー１４を押し下げて確定することで、ハンディターミナル１（ＲＡＭ２０２）に商品の数量が記録される。
【００３０】
なお、電卓モードの途中で中止できるようにするのが都合がよく、電卓モードの途中で、例えばキャンセルキー１３を押し下げると、電卓モードに入る直前の数値入力画面Ｄ２に戻るようにするのが好ましい。
【００３１】
以上、本発明の好ましい実施例を説明したが、ハンディターミナル１の表示部７にタッチパネルを設けて、このタッチパネルで四則演算（×、÷、＋、−、＝）を入力できるようにしてもよい。また、ハンディターミナル１のキー入力部９の各種のキーに四則演算（×、÷、＋、−、＝）や電卓の「ＭＲ」「ＭＣ」「Ｍ＋」機能を割り付けるようにしてもよい。
【００３２】
ハンディターミナル１の電卓モードに、電卓の「ＭＲ」「ＭＣ」「Ｍ＋」機能を付加することにより、例えば、電卓モードで、加算やかけ算を繰り返すことにより商品の総額や割引額を一連の操作により求めることができる。
【図面の簡単な説明】
【図１】実施例のハンディターミナルシステムの全体概要図である。
【図２】実施例のハンディターミナルの正面図である。
【図３】実施例のハンディターミナルの下部を抽出して示す部分拡大図である。
【図４】実施例のハンディターミナルを載置する置き台を斜め上方から見た斜視図である。
【図５】ＨＴ及び置き台の回路ブロック図である。
【図６】ハンディターミナルの電卓機能を使用した入力の流れを説明するためのフローチャートである。
【符号の説明】
１    ハンディターミナル
７    ハンディターミナルのＬＣＤ表示部
９    キー入力部
２００    ＣＰＵ
２０１    ＲＯＭ
２０２    ＲＡＭ
【図１】
2004213456.tif 000003
【図２】
2004213456.tif 000004
【図３】
2004213456.tif 000005
【図４】
2004213456.tif 000006
【図５】
2004213456.tif 000007
【図６】
2004213456.tif 000008